(57)【特許請求の範囲】
【請求項１】
元押しジャッキによって暗渠構築部材を地中で前進させて暗渠における曲線部を構築する推進工法において、暗渠構築部材の縁端部周囲の被押し面に沿うように配設されたシリンダからなる複数の押しジャッキによる暗渠構築部材の前進により、坑口の左右に配設された案内部材が暗渠構築部材を曲線状に案内し、当該暗渠構築部材の曲線移動に伴って、前記押しジャッキの押し面を左右方向に傾斜させることによって、当該押し面と暗渠構成部材の被押し面とを正対状に接触させて、押しジャッキの押し力を被押し面の全面に作用させるようにしたことを特徴とする推進工法。
【請求項２】
請求項１の推進工法に用いられる元押しジャッキであって、暗渠構築部材の縁端部周囲の被押し面に沿うように複数配設された略シリンダ状の押しジャッキを含む元押しジャッキにおいて、各押しジャッキは、その各押しジャッキの押し面が暗渠構築部材の曲線状の前進により変る被押し面の角度に追従して、当該被押し面と正対状に接触するように左右傾斜可能に軸支されていることを特徴とする元押しジャッキ。
【請求項３】
請求項１の推進工法に用いられる元押しジャッキであって、暗渠構築部材の縁端部周囲の被押し面に沿うように複数配設された略シリンダ状の押しジャッキを含む元押しジャッキにおいて、各押しジャッキの押し面が、暗渠構築部材の曲線状の前進により変る被押し面の角度に追従して、当該被押し面と正対状に接触するように左右傾斜可能に支持されていることを特徴とする元押しジャッキ。
【請求項４】
前記元押しジャッキが、前記押しジャッキと、支持ジャッキと、これら両ジャッキを支持する支持体とを含み、前記押しジャッキと支持ジャッキとは、外管部と当該外管部に対して出没可能な内杆部とからなる２段伸縮構造のシリンダ状のものとして構成し、前記押しジャッキを、内杆部が前方へ伸縮する方向にして外管部を前記支持体に左右傾斜可能に軸支する一方、前記支持ジャッキを、内杆部が後方へ伸縮する方向にして外管部を前記支持体に対して不動状に支持してなることを特徴とする請求項２又は請求項３に記載の元押しジャッキ。
【請求項５】
押しジャッキと支持ジャッキが支持体に対して互い違いに支持されていることを特徴とする請求項４に記載の元押しジャッキ。
【発明の詳細な説明】
【技術分野】
【０００１】
本発明は、例えば、下水路、排水路、地下道等の暗渠における曲線部を構築するため曲線推進工法及びその工法に用いられる元押しジャッキに関し、特に、暗渠における急曲線部を構築するのに好適な曲線推進工法及びその工法に用いられる元押しジャッキに関する。
【背景技術】
【０００２】
従来、暗渠を構築する工法として推進工法が知られている。
この推進工法は、地中内に設置された管状の暗渠構築部材の先端側に掘削手段を配設する一方、暗渠構築部材の後端部側に元押しジャッキを設置し、当該元押しジャッキによって暗渠構築部材を押して前進させながら前記掘削手段で土砂を掘削して暗渠を構築するものである。(例えば、非特許文献１及び非特許文献２参照)
【非特許文献１】http://www.kidoh.co.jp/koudou/kankyo.htm
【非特許文献２】http://www.pref.shiga.jp/d/konanryuiki/suisin_method.htm
【発明の開示】
【発明が解決しようとする課題】
【０００３】
ところで、前記暗渠は、構築場所によっては曲線部を構築する必要があるが、前記非特許文献１及び非特許文献２の工法における元押しジャッキは、直線状に動作するものであるとともに、その元押しジャッキの押し面の全面が暗渠構築部材の被押し面に対して接触することによって、元押しジャッキの押し力を被押し面全面に作用するようにされている。
すなわち、前記曲線部を構築する際における元押しジャッキの暗渠構築部材に対する押し動作では、暗渠構築部材の前進方向が変るため、前記被押し面に元押しジャッキの押し面がの全面が接触せず、当該元押しジャッキの押し力が暗渠構築部材の被押し面に対して部分的に集中したり、効率的に伝達されなかったりする虞が有る。
このため、暗渠における曲線部を構築する際において、元押しジャッキの押し力を暗渠構築部材に対して確実に伝達する方法として、暗渠構築部材の被押し面と元押しジャッキの押し面との間に緩衝材を介在し、この緩衝材を曲線部の円弧に対応させて調整することにより、元押しジャッキの押し力を前記被押し面の全面に作用させる方法を採用している。
しかしながら、前記方法は、元押しジャッキの本数が少ない小断面の暗渠における曲線部を構築するものとしては、ある程度有効なものであるが、大断面の暗渠における曲線部を構築する場合には、暗渠構築部材も大型になりジャッキの本数も増えるため、前記曲線部の構築作業に対して非効率的なものであった。
【０００４】
そこで、本発明は、大断面における暗渠の曲線部の構築を効率良く行うことを課題とし、この課題を解決した曲線部における推進工法及びその工法に用いられる元押しジャッキの提供を目的とする。
【課題を解決するための手段】
【０００５】
本発明は、前記目的を達成するため、下記の技術的手段を採用した。その第１発明として、元押しジャッキによって暗渠構築部材を地中で前進させて暗渠における曲線部を構築する推進工法において、暗渠構築部材の縁端部周囲の被押し面に沿うように配設されたシリンダからなる複数の押しジャッキによる暗渠構築部材の前進により、坑口の左右に配設された案内部材が暗渠構築部材を曲線状に案内し、当該暗渠構築部材の曲線移動に伴って、前記押しジャッキの押し面を左右方向に傾斜させることによって、当該押し面と暗渠構成部材の被押し面とを正対状に接触させて、押しジャッキの押し力を被押し面の全面に作用させるようにしたことを特徴とする推進工法にしたことである。
【０００６】
又、前記第１発明の推進工法を実現するための元押しジャッキの構造として、第２発明では、暗渠構築部材の縁端部周囲の被押し面に沿うように複数配設された略シリンダ状の押しジャッキを含む元押しジャッキであって、各押しジャッキは、その各押しジャッキの押し面が暗渠構築部材の曲線状の前進により変る被押し面の角度に追従して、当該被押し面と正対状に接触するように左右傾斜可能に軸支されていることを特徴とする元押しジャッキにしたことである。
更に、前記第１発明の推進工法を実現するための元押しジャッキの他の構造として、第３発明では、暗渠構築部材の縁端部周囲の被押し面に沿うように複数配設された略シリンダ状の押しジャッキを含む元押しジャッキであって、各押しジャッキの押し面が、暗渠構築部材の曲線状の前進により変る被押し面の角度に追従して、当該被押し面と正対状に接触するように左右傾斜可能に支持されていることを特徴とする元押しジャッキにしたことである。
【０００７】
又、前記元押しジャッキのストロークを確保した上で、各押しジャッキの収縮状態においてコンパクトにするという観点から、第４発明では、前記元押しジャッキが、前記押しジャッキと、支持ジャッキと、これら両ジャッキを支持する支持体とを含み、前記押しジャッキと支持ジャッキとは、外管部と当該外管部に対して出没可能な内杆部とからなる２段伸縮構造のシリンダ状のものとして構成し、前記押しジャッキを、内杆部が前方へ伸縮する方向にして外管部を前記支持体に左右傾斜可能に軸支する一方、前記支持ジャッキを、内杆部が後方へ伸縮する方向にして外管部を前記支持体に対して不動状に支持してなることを特徴とする元押しジャッキにしたことである。
【０００８】
第３発明において、押しジャッキと支持ジャッキとの配設態様は任意であるが、元押しジャッキの暗礁構築部材に対する押し動作をバランス良く行うという観点から、第５発明では、押しジャッキと支持ジャッキが支持体に対して互い違いに支持されていることを特徴とする元押しジャッキにしたことである。
【０００９】
本発明で云う暗渠構築部材とは、暗渠による下水路、排水路、地下道等を構成するための、コンクリートや金属製の管状体やボックスカルバートである。
【発明の効果】
【００１０】
本発明によれば、下記の優れた効果が期待できる。
第１発明によれば、押しジャッキの押し動作と案内部材による暗渠構築部材の曲線移動に伴って、その各押しジャッキの押し面が暗渠構築部材の曲線状の前進により変る被押し面の角度に追従して、当該被押し面と正対状に接触するように傾斜する。
したがって、ジャッキの押し面が暗渠構築部材の被押し面に対して常に正対するため、大断面における暗渠の曲線部の構築を効率良く行うことができる。
又、第２発明及び第３発明によれば、第１発明の推進工法を実現できる元押しジャッキを提供することができる。
又、第４発明によれば、前記元押しジャッキのストロークを確保した上で、各押しジャッキの収縮状態において元押しジャッキのコンパクト化を図れる。
又、第５発明によれば、元押しジャッキの暗礁構築部材に対する押し動作をバランス良く行うことができる。
【発明を実施するための最良の形態】
【００１１】
以下、本発明の曲線推進工法及びその工法に用いられる元押しジャッキを実施するための最良の形態を図面に基づいて説明する。
尚、本形態では、最初に曲線推進工法に用いられる元押しジャッキの構成を説明し、次いで、この元押しジャッキを用いた曲線推進工法を説明する。
又、本形態で例示する暗渠構築部材は、ボックスカルバートである。
【００１２】
本形態の元押しジャッキ１は、図１〜図３に示すように、暗渠構築部材Ａを直接押す複数の押しジャッキ２と、当該押しジャッキ２を介して暗渠構築部材Ａを押す複数の支持ジャッキ３と、これらジャッキを支持する支持板４と、前記押しジャッキ２の先端に固定された押し板部材５と、前記支持ジャッキ３の先端に固定された支持板部材６とから構成されている。
【００１３】
押しジャッキ２及び支持ジャッキ３は、外管部２１，３１と、当該外管部２１，３１に対して出没可能な内杆部２２，３２とからなる２段伸縮構造のシリンダ状のものである。
押しジャッキ２及び支持ジャッキ３は、その外管部２１，３１の略中央部分が前記支持板４に支持され、押しジャッキ２は、その内杆部２１が前方(暗渠構築部材Ａ側)に伸張する方向として支持される一方、支持ジャッキ３は、その内杆部３１が後方(発進立抗Ｂ内の支圧壁Ｂ１側)に伸張する方向として支持されている。
又、押しジャッキ２は、その外管部２１が前記支持板４に対して左右傾斜可能に軸支され、支持ジャッキ３は、その外管部３１が前記支持板４に対して不動状に支持されている。
この外管部２１の軸支による外管部２１の傾斜動作は、図３(ｂ)に示すように、暗渠構築部材Ａの曲線での推進方向に伴って外管部２１が傾斜し、この傾斜に伴って押し板部材５が傾斜することによって、押し板部材５の押し面５１を被押し面Ａ１に正対させる。
又、押しジャッキ２及び支持ジャッキ３は、前記支持板４に対して互い違いとなるように配設されている。
【００１４】
前記支持板４は、正面四角形状の略枠状の中空箱体に形成され、その前面から下面に亘って前記外管部２１，３１が貫通状に配設されている。
支持板４の前面には、前記外管部２１を左右傾斜可能に軸支する軸支部４１が配設され、支持板４の後面には、外管部２１が左右傾斜する際に案内する案内長孔４２が開孔されている。
【００１５】
前記押し板部材５は、前記暗渠構築部材Ａの後端面に確保した被押し面Ａ１に沿う枠状に形成され、前記被押し面Ａ１と対向する面(前面)を押し面５１としている。
又、押し板部材５の後面には、前記押しジャッキ２における内杆部２２の先端と連結する連結部５Ａが配設されている。
本形態の連結部５Ａは、押し板部材５を内杆部２２に対して傾斜可能に連結する形態のものであり、具体的には、ボールジョイント構造のものである。
すなわち、連結部５Ａにおける連結部本体５Ｂと、内杆部２２の先端とに亘って、ボール部材５Ｃを嵌合することによって、押し板部材５を内杆部２２に対して傾斜可能に連結する。
この連結部５Ａによる押し板部材５の傾斜動作は、図３(ｃ)に示すように、暗渠構築部材Ａの曲線での推進方向に伴って、各内杆部２２の伸張長さを調整して押し板部材５を傾斜させることによって、押し板部材５の押し面５１を被押し面Ａ１に正対させる。
【００１６】
前記支持板部材６は、前記押し板部材５と同形状のものであり、前記支持ジャッキ３における内杆部３２の先端に、発進立抗Ｂ内の支圧壁Ｂ１と正対状となるように固定されている。
又、元押しジャッキ１を発進立抗Ｂ内に配設する際には、支持板部材６を発進立抗Ｂ内の支圧壁Ｂ１に正対状に固定して配設される。
【００１７】
本形態の元押しジャッキ１によれば、２段伸縮構造の前記押しジャッキ２及び支持ジャッキ３が支持板４に対して、互いに逆方向へ伸縮するように、且つ外管部２１，３１の略中央部分で支持されているので、伸長状態において実質的に３段伸縮構造のジャッキと同等の長さにすることができる。
すなわち、本形態の元押しジャッキ１は、前記押しジャッキ２及び支持ジャッキ３が実際には２段伸縮構造のものでありながら、伸長状態において実質的に３段伸縮構造のジャッキと同等の長さにしていることから、最小径部となる内杆部２２，３２の径が、３段伸縮構造のジャッキにおける最小径部となる内杆部の径よりも大径にできるので、押し動作時に作用する暗渠構築部材Ａの重量及び掘削抵抗に対する耐荷重性が向上し、しかも、収縮状態においても、３段収縮構造のジャッキの全長と同等となるので、優れた耐荷重性を備えながらコンパクトな収縮状態を実現した元押しジャッキ１である。
更に、本形態の元押しジャッキ１によれば、曲線状に推進することによって変る暗渠構築部材Ａの被押し面Ａ１に追従する、外管部２１の左右傾斜と押し面５１の左右傾斜とにより、
被押し面Ａ１に対する押し面５１の正対状態を保持することができる。
すなわち、本形態の元押しジャッキ１は、その押し力を曲線状に推進する暗渠構築部材Ａに対して効率良く伝達できるので、大断面における暗渠の曲線部の構築を効率良く行うことができる。
【００１８】
次に、前記形態で例示した元押しジャッキ１を用いた曲線推進工法を図４及び図５に基づいて説明する。尚、図中、仮想線で示す部位は、暗渠構築部材Ａの推進方向を示すものであって、実際には、元押しジャッキ１で暗渠構築部材Ａを押しながら、先頭の暗渠構築部材Ａの前端部に配設した掘削手段（図示せず）によって地中を掘り進むものである。又、暗渠構築部材Ａは、平面視において左方向へカーブするように曲げ形成したボックスカルバートである。又、発進立抗Ｂ内の坑口Ｂ２の左右には、暗渠構築部材Ａの曲線方向の推進を案内する案内部材ＣＬ，ＣＲ(図１及び図４、図５参照)が配設されている。
【００１９】
本形態の曲線推進工法は、第１工程として図４（ａ）に示すように、元押しジャッキ１をその支持板部材６を発進立抗Ｂ内の支圧壁Ｂ１に正対状に固定することによって、元押しジャッキ１の押し面５１が発進立抗Ｂ内に入れられた暗渠構築部材Ａの被押し面Ａ１と正対状にされる。
このとき、前記案内部材ＣＬ，ＣＲが暗渠構築部材Ａの左右側部に接触している。
【００２０】
続いて第２工程として前記図４(ａ)の状態から図４(ｂ)に示すように、元押しジャッキ１を作動させて押しジャッキ２及び支持ジャッキ３を伸長して暗渠構築部材Ａを押すと、当該暗渠構築部材Ａが前記案内部材ＣＬ，ＣＲに案内されて曲線方向へ案内されながら地中を掘り進む。
このとき、暗渠構築部材Ａが曲線状に進むことによって、当該暗渠構築部材Ａにおける被押し面Ａ１の角度が変るが、各押しジャッキ２における内杆部２２の伸長長さを調整し、押しジャッキ２における押し板部材５を連結部５Ａを介して傾斜させることによって、押し板部材５の押し面５１が、角度が変る前記被押し面Ａ１に正対する。
【００２１】
更に、第３工程として図５(ｃ)に示すように、暗渠構築部材Ａを押すことで更に変る被押し面Ａ１の角度に伴って、各押しジャッキ２における外管部２１が傾斜することによって、押し板部材５の押し面５１が、角度が変る前記被押し面Ａ１に正対する。
【００２２】
そして、第４工程として図５(ｄ)に示すように、元押しジャッキ１における押しジャッキ２及び支持ジャッキ３を限界まで伸長させた時点で、当該押しジャッキ２及び支持ジャッキ３を収縮させて、元押しジャッキ１を図４(ａ)の状態に戻し、次の暗渠構築部材Ａを発進立抗Ｂ内に入れて、前記図４(ａ)〜図５(ｄ)の工程を繰り返すことによって、曲線状の暗渠を構築することができる。
【００２３】
本形態の推進工法によれば、曲線を描きながら推進する暗渠構築部材Ａにおける被押し面Ａ１の変る角度に伴って、前記押し板部材５における押し面５１が傾斜することによって、押し面５１を押し板部材Ａ１に対して常に正対させることができる。
したがって、大断面における暗渠の曲線部の構築を効率良く行うことができる。
【００２４】
なお、本発明は、例示した実施の形態に限定するものでは無く、特許請求の範囲の各項に記載された内容から逸脱しない範囲の構成による実施が可能である。
例えば、前記押し面５１を被押し面Ａ１に対して常に正対させる構造として、前記形態では、前記押しジャッキ２における外管部２１と、前記押しジャッキ２における押し板部材５とを傾斜させることにより正対させる構造のものであるが、本願発明は、外管部２１又は押しジャッキ２のいずれか一方を傾斜させる構造としても良い。
又、前記形態で例示した暗渠構築部材Ａは、断面四角形状のボックスカルバートであるが、本願発明は、暗渠構築部材Ａを、断面円形の管状体としても良く、この場合、前記押し板部材５及び支持板部材６を円形の環体形状にすることが好ましい。
【図面の簡単な説明】
【００２５】
【図１】本発明に係る元押しジャッキの設置状態を示す。
【図２】図１の(２)−(２)線断面図。
【図３】元押しジャッキの動きを示す正面図で、(ａ)は押しジャッキ及び支持ジャッキの直線方向の伸長状態を示し、(ｂ)は押しジャッキの傾斜状態を示し、(ｃ)は押し板部材の傾斜状態を示す。
【図４】本発明に係る推進工法を示す工程図で、(ａ)は第１工程を示すし、(ｂ)は第２工程を示す。
【図５】図４から続く工程図で、(ｃ)は第３工程を示し、(ｄ)は第４工程を示す。
【符号の説明】
【００２６】
１：元押しジャッキ
Ａ：暗渠構築部材
２：押しジャッキ
３：支持ジャッキ
４：支持板
５：押し板部材
６：支持板部材
２１：外管部
３１：外管部
２２：内杆部
３２：内杆部
Ｂ：発進立抗
Ｂ１：支圧壁
４１：軸支部
４２：案内長孔
Ａ１：被押し面
５１：押し面
５Ａ：連結部
ＣＬ：案内部材
ＣＲ：案内部材
【図１】
0004583284.tif 000002
【図２】
0004583284.tif 000003
【図３】
0004583284.tif 000004
【図４】
0004583284.tif 000005
【図５】
0004583284.tif 000006